(57)【要約】【課題】陳列室を従来よりも拡大できるようにした低温ショーケースを提供する。【解決手段】陳列室３、及び、陳列室３の下方に設けられた機械室４を有するケース本体２と、陳列室３を冷却し、圧縮機５ｅを有する冷却ユニットと、ドレンを受けるドレン皿６と、を備え、ドレン皿６は、機械室４に配置され、圧縮機５ｅは、ケース本体２の上面２ｂに配置される。【選択図】図２
2019078457.tif 000002
【特許請求の範囲】
【請求項１】
陳列室、及び、前記陳列室の下方に設けられた機械室を有するケース本体と、
前記陳列室を冷却し、圧縮機を有する冷却ユニットと、
ドレンを受けるドレン皿と、を備え、
前記ドレン皿は、前記機械室に配置され、
前記圧縮機は、前記ケース本体の上面に配置されたことを特徴とする低温ショーケース。
【請求項２】
前記冷却ユニットは、凝縮器、及び、凝縮器用送風機を有し、
前記凝縮器、及び、前記凝縮器用送風機は、それぞれ前記機械室に配置された
ことを特徴とする、請求項１に記載の低温ショーケース。
【請求項３】
前記冷却ユニットは電装ボックスを有し、
前記電装ボックスは、前記ケース本体の上面に配置された
ことを特徴とする、請求項１又は２に記載の低温ショーケース。
【発明の詳細な説明】
【技術分野】
【０００１】
本発明は、冷蔵・冷凍用の低温ショーケースに関するものである。
【背景技術】
【０００２】
コンビニエンスストアやスーパーマーケット等に設置される低温ショーケースにおいて、商品が陳列される陳列室の下方の機械室に、冷凍ユニットの主な構成要素を内蔵したユニット内蔵型のものが知られている（例えば特許文献１）。
【先行技術文献】
【特許文献】
【０００３】
【特許文献１】特開２０１７−１０９００２号公報
【発明の概要】
【発明が解決しようとする課題】
【０００４】
冷蔵・冷凍用の低温ショーケースでは、陳列室を広くして多くの商品を陳列できるようにすることが要望されている。
しかし、陳列室の天面の高さは、陳列室の商品を取り出せるように購入者の手が届く高さに制限される。そのため、陳列室を広くするには、陳列室を低床化して下方に広げることが有効である。
【０００５】
本発明は、このような要望に応えるためになされたものであり、陳列室を従来よりも拡大できるようにした低温ショーケースの提供を目的とする。
【課題を解決するための手段】
【０００６】
上記目的を達成するために、本発明の低温ショーケースは、陳列室、及び、前記陳列室の下方に設けられた機械室を有するケース本体と、前記陳列室を冷却し、圧縮機を有する冷却ユニットと、ドレンを受けるドレン皿と、を備え、前記ドレン皿は、前記機械室に配置され、前記圧縮機は、前記ケース本体の上面に配置されたことを特徴としている。
【発明の効果】
【０００７】
本発明によれば、陳列室を従来よりも拡大できる。
【図面の簡単な説明】
【０００８】
【図１】本発明の一実施形態の低温ショーケースの全体構成を示す斜視図
【図２】本発明の一実施形態の低温ショーケースの全体構成を示す縦断面
【図３Ａ】本発明の一実施形態の機械室内の構成を示す斜視図
【図３Ｂ】本発明の一実施形態の機械室内の構成を示す側面図
【図４Ａ】本発明の一実施形態のケース内の構成を示す斜視図
【図４Ｂ】本発明の一実施形態のケース内の構成を示す側面図
【発明を実施するための形態】
【０００９】
以下、本発明の実施の形態に係る冷蔵・冷凍用の低温ショーケース（以下「ショーケース」ともいう）１ついて、図面を参照しながら説明する。
なお、以下に示す実施形態はあくまでも例示に過ぎず、以下の実施形態で明示しない種々の変形や技術の適用を排除する意図はない。
以下の説明では、図１の陳列室３の開口部３ａが向く方向を前方、その反対側を後方とし、前方を基準に左右を定める。
【００１０】
［１．全体構成］
ショーケース１の構成について図１及び図２を参照して説明する。
図１は、本発明の一実施形態のショーケース１の全体構成を示す斜視図である。
図２は、本発明の一実施形態のショーケース１の全体構成を示す縦断面図である。
【００１１】
図１及び図２に示すように、ショーケース１は本体ケース２を備えている。本体ケース２の上部には、商品を陳列する陳列室３が設けられ、この陳列室３の下方に機械室４が設けられている。
陳列室３の前面には開口部３ａが設けられている。開口部３ａには、棚板３ｃが上下に複数段架設され、底面にはデックパン３ｂが取り付けられている。これらの棚板３ｃ及びデックパン３ｂ上に商品が陳列される。
【００１２】
また、図２に示すように、ショーケース１には、陳列室３を冷却する冷却ユニットが内蔵されている。冷却ユニットは、凝縮器５ａ、凝縮器用送風機５ｂ、蒸発器５ｃ、蒸発器用送風機（図示略）、圧縮機５ｅ、及び、電装ボックス５ｆを備えている。電装ボックス５ｆには、冷却ユニットの各部を制御する制御装置や各種電装品が格納されている。
さらに、ショーケース１には、陳列室３や蒸発器５ｃで発生した結露水や除霜水（以下ドレンという）をためるドレン皿６が備えられている。
【００１３】
これらの機器のうち、凝縮器５ａ、凝縮器用送風機５ｂ及びドレン皿６は、機械室４に配置される。
他方、圧縮機５ｅ及び電装ボックス５ｆは、箱状のケース２０に格納されてユニット化された状態で、本体ケース２の上面２ｂに配置される。
また、蒸発器５ｃは、陳列室３の後方において本体ケース２内に形成された背面ダクト２ａの内部に配置されている。背面ダクト２ａは、陳列室３の天面の冷気吐出口まで続く通風路の一部を構成しており、前記蒸発器用送風機はこの通風路内に設けられている。蒸発器用送風機の作動により蒸発器５ｃへ流れた空気は、蒸発器５ｃによって冷却され、冷気となり、冷気吐出口から陳列室３へ吐出される。
【００１４】
［２．詳細構成］
ショーケース１の詳細構成について図３Ａ〜図４Ｂを参照して説明する。
図３Ａは、本発明の一実施形態の機械室内の構成を示す斜視図である。
図３Ｂは、本発明の一実施形態の機械室内の構成を示す側面図である。
図４Ａは、本発明の一実施形態のボックス内の構成を示す斜視図である。
図４Ｂは、本発明の一実施形態のボックス内の構成を示す側面図である。
【００１５】
上述の通り、機械室４には、図３Ａ及び図３Ｂに示すように凝縮器５ａ、凝縮器用送風機５ｂ、及び、ドレン皿６が配置されている。
例えば、凝縮器５ａは、機械室４の最前部に配置され、凝縮器用送風機５ｂは、凝縮器５ａの直ぐ後方において左右方向（以下「幅方向」という）に沿って複数並設され、ドレン皿６は、凝縮器用送風機５ｂの後方に間隔をあけて配置されている。
凝縮器用送風機５ｂの作動により、前方から後方へと流れる空気流が形成され、この空気流は凝縮器５ａの放熱により温風となって、後方のドレン皿６へ流れる。
【００１６】
ドレン皿６には、陳列室３や蒸発器５ｃで発生した結露水や除霜水（以下ドレンという）が、機械室４のドレン入口（図示略）の下方に設置されたドレン通路４ｂを通って送り込まれる。
【００１７】
ドレン通路４ｂは、前記ドレン入口の鉛直下方に位置する漏斗状部材４ｂ１と、上部の開口した背の低い箱形部材４ｂ２とを備える。箱形部材４ｂ２は、その前側が漏斗状部材４ｂ１の下方に配置され、その後側がドレン皿６の上方に配置される。また、箱形部材４ｂ２におけるドレン皿６の上方に位置する箇所には、孔部４ｂ３が形成されている。このような構成により、前記ドレン入口から漏斗状部材４ｂ１に流下したドレンは、箱形部材４ｂ２に流下した後、孔部４ｂ３からドレン皿６に流下する。
【００１８】
ドレン皿６の内部には、ドレン皿６にたまるドレンを吸収してドレンの蒸発を促進する板状の蒸発促進部材６ａが複数設けられている。これらの蒸発促進部材６ａは、その上端がドレン皿６の上縁よりも突出した起立状態で、幅方向に隙間をあけて複数並べられている。凝縮器用送風機５ｂの作動により空気が凝縮器５ａ及び蒸発促進部材６ａどうしの隙間をこの順に流通する。凝縮器５ａを通過した空気は、凝縮器５ａの排熱により昇温し、この昇温した空気が、蒸発促進部材６ａに吸収されたドレンを効率的に蒸発させる。
【００１９】
図４Ａ及び図４Ｂに示すように、ケース２０内には、その前側に電装ボックス５ｆが配置され、圧縮機５ｅが電装ボックス５ｆの後ろ左側に隣接して配置されている。また、電装ボックス５ｆの後ろ右側の符号５ｇで表記される構成品はアキュムレータである（図１では省略）。
また、電装ボックス５ｆの左側壁には、内部の制御装置や電装品を冷却するための冷却ファン５ｆ１が取り付けられている。また、ケース２０の左側壁の冷却ファン５ｆ１と対向する箇所には、スリット状の通気口２０ａが上下及び前後に複数配列されている（図１参照）。
【００２０】
［３．作用・効果］
本発明の一実施形態のショーケース１の作用・効果について説明する。
圧縮機５ｅを機械室４に配置すると、機械室４の高さ、及び、機械室４の上方の陳列室３における床面高さが、圧縮機５ｅの高さによって規制されてしまうため、陳列室３を低床化できない。これに対し、本実施形態のショーケース１によれば、圧縮機５ｅが、本体ケース２の上面２ｂに設置されているので、陳列室３を低床化して下方に広げることができる。
【００２１】
また、機械室４に圧縮機５ｅや電装ボックス５ｆが配置されていない分だけ、機械室４の風通しがよくなる。したがって、凝縮器用送風機５ｂの作動によってドレン皿６へ送り出される温風の量が増加して、温風によるドレンの乾燥を効果的に行える。また、凝縮器５ａや凝縮器用送風機５ｂを設置できるスペースが広くなり、図３Ａに示すように凝縮器５ａの略全幅に亘って凝縮器用送風機５ｂを設置することができる。
【００２２】
［４．変形例］
以下、変形例について説明する。
前記一実施形態では、電装ボックス５ｆを本体ケース２の上面に設置したが、電装ボックス５ｆを機械室４に配置してもよい。
【産業上の利用可能性】
【００２３】
本発明は、陳列室に商品を陳列する低温ショーケースに広く利用可能である。
【符号の説明】
【００２４】
１  ショーケース
２  本体ケース
２ａ  背面ダクト
２ｂ  上面
３  陳列室
３ａ  陳列室の開口部
３ｂ  デックパン
３ｃ  棚板
４  機械室
４ｂ  ドレン通路
５ａ  凝縮器
５ｂ  凝縮器用送風機
５ｃ  蒸発器
５ｅ  圧縮機
５ｆ  電装ボックス
５ｆ１  冷却ファン
６  ドレン皿
６ａ  蒸発促進部材
２０  ケース
【図１】
2019078457.tif 000003
【図２】
2019078457.tif 000004
【図３Ａ】
2019078457.tif 000005
【図３Ｂ】
2019078457.tif 000006
【図４Ａ】
2019078457.tif 000007
【図４Ｂ】
2019078457.tif 000008